(57)【要約】【課題】複数の電子文書の複数のページ間の相互参照を比較的柔軟に且つ比較的簡易に行うことが可能な技術を提供する。【解決手段】電子文書閲覧装置は、閲覧対象の複数の電子文書における各ページのページ画像を仮想配置領域ＡＲに配置する。電子文書閲覧装置は、複数の電子文書のうちの電子文書ＤＡの複数のページのページ画像群ＧＡを仮想配置領域ＡＲにおいて縦方向に配列し且つ複数の電子文書のうちの電子文書ＤＢの複数のページのページ画像群ＧＢをも仮想配置領域ＡＲにおいて縦方向に配列するとともに、ページ画像群ＧＡとページ画像群ＧＢとを仮想配置領域ＡＲにおいて横方向に隣接配置する。さらに、電子文書閲覧装置は、ページ画像群ＧＡページ画像群ＧＢとの縦方向における相対的位置関係をユーザからのジェスチャ操作（たとえば一本指フリック操作）に応じて変更し、相対的位置関係の変更後の表示対象領域ＴＲをタッチスクリーン６２に表示させる。【選択図】図８
2014211788.tif 000002
【特許請求の範囲】
【請求項１】
電子文書閲覧システムであって、
閲覧対象の複数の電子文書における各ページのページ画像をそれぞれ生成するページ画像生成手段と、
前記複数の電子文書の複数のページ画像を仮想配置領域に配置するページ画像配置手段であって、前記複数の電子文書のうちの第１の電子文書の複数のページのページ画像群である第１のページ画像群を前記仮想配置領域において第１の方向に配列し、且つ、前記複数の電子文書のうちの第２の電子文書の複数のページのページ画像群である第２のページ画像群をも前記仮想配置領域において前記第１の方向に配列するとともに、前記第１のページ画像群と前記第２のページ画像群とを前記仮想配置領域において前記第１の方向とは異なる第２の方向に隣接配置するページ画像配置手段と、
ユーザによるジェスチャ操作を受け付ける入力制御手段と、
前記仮想配置領域のうちの表示対象領域を決定する決定手段と、
前記仮想配置領域のうち前記表示対象領域をユーザインターフェイス部に表示させる表示制御手段と、
を備え、
前記ページ画像配置手段は、前記第１のページ画像群と前記第２のページ画像群との前記第１の方向における相対的位置関係を前記ジェスチャ操作に応じて変更し、
前記表示制御手段は、前記相対的位置関係の変更後の前記表示対象領域を前記ユーザインターフェイス部に表示させることを特徴とする電子文書閲覧システム。
【請求項２】
請求項１に記載の電子文書閲覧システムにおいて、
前記ページ画像配置手段は、前記第１の電子文書を前記第１の方向に移動させる第１の操作に応じて、前記第１の電子文書と当該第１の電子文書に隣接する第２の電子文書との前記第１の方向における相対的位置関係を変更し、
前記表示制御手段は、前記相対的位置関係の変更後の前記表示対象領域を前記ユーザインターフェイス部に表示させることを特徴とする電子文書閲覧システム。
【請求項３】
請求項２に記載の電子文書閲覧システムにおいて、
前記第１の操作は、ユーザの一本指によるドラッグ操作を含むことを特徴とする電子文書閲覧システム。
【請求項４】
請求項２または請求項３に記載の電子文書閲覧システムにおいて、
前記決定手段は、前記第１の操作とは異なる第２の操作に応じて、前記表示対象範囲を変更し、
前記表示制御手段は、変更後の前記表示対象範囲を前記ユーザインターフェイス部に表示させることを特徴とする電子文書閲覧システム。
【請求項５】
請求項４に記載の電子文書閲覧システムにおいて、
前記第２の操作は、ユーザの二本指によるピンチ操作を含み、
前記決定手段は、前記ピンチ操作に応じて前記表示対象範囲の大きさを変更することを特徴とする電子文書閲覧システム。
【請求項６】
請求項４に記載の電子文書閲覧システムにおいて、
前記第２の操作は、ユーザの二本指によるドラッグ操作を含み、
前記決定手段は、前記ドラッグ操作に応じて前記表示対象範囲の位置を変更することを特徴とする電子文書閲覧システム。
【請求項７】
請求項６に記載の電子文書閲覧システムにおいて、
前記ページ画像配置手段は、前記第１の方向における前記第２の操作に応じて前記第１のページ画像群の一端側が前記表示対象領域の一端側に表示される所定の状態に至った後において、引き続き同じ向きの前記第２の操作が継続される場合には、前記第１のページ画像群の一端側が前記表示対象領域の前記一端側に配置され続けるように、前記第１のページ画像群と前記第２のページ画像群との前記第１の方向における相対的位置関係を随時変更し、
前記表示制御手段は、前記ドラッグ操作に応じた位置変更後且つ前記相対的位置関係の変更後の前記表示対象領域を前記ユーザインターフェイス部に随時表示させることを特徴とする電子文書閲覧システム。
【請求項８】
請求項１に記載の電子文書閲覧システムにおいて、
前記ページ画像配置手段は、前記複数の電子文書のうちの一の電子文書を前記第２の方向に移動させる第３の操作に応じて、前記複数の電子文書の前記第２の方向における配置順序を変更し、
前記表示制御手段は、前記配置順序の変更後の前記表示対象領域を前記ユーザインターフェイス部に表示させることを特徴とする電子文書閲覧システム。
【請求項９】
請求項８に記載の電子文書閲覧システムにおいて、
前記第３の操作は、前記一の電子文書に対する長押しドラッグドロップ操作を含むことを特徴とする電子文書閲覧システム。
【請求項１０】
請求項１に記載の電子文書閲覧システムにおいて、
前記複数の電子文書の各ページ相互間の関連性情報を生成する生成手段、
をさらに備え、
前記ページ画像配置手段は、前記第１の電子文書の特定ページに注目する注目操作に応じて、前記第１の電子文書に隣接する前記第２の電子文書の複数のページの中から、前記特定ページに関連する関連ページを前記関連性情報に基づいて決定するとともに、当該関連ページを前記特定ページに隣接させるように、前記第１のページ画像群と前記第２のページ画像群との前記第１の方向における相対的位置関係を変更し、
前記表示制御手段は、前記相対的位置関係変更後の前記表示対象領域を前記ユーザインターフェイス部に表示させることを特徴とする電子文書閲覧システム。
【請求項１１】
請求項１０に記載の電子文書閲覧システムにおいて、
前記注目操作は、前記特定ページを拡大表示させるピンチアウト操作を含むことを特徴とする電子文書閲覧システム。
【請求項１２】
請求項１に記載の電子文書閲覧システムにおいて、
前記複数の電子文書の各ページ相互間の関連性情報を生成する生成手段、
をさらに備え、
前記ページ画像配置手段は、ファイルオープン操作の際に前記表示対象範囲内に配置される複数のページの中から代表ページを決定し、前記代表ページの属する前記第１の電子文書に対して隣接する前記第２の電子文書の複数のページの中から、前記代表ページに関連する関連ページを前記関連性情報に基づいて決定するとともに、当該関連ページを前記代表ページに隣接させるように、前記第１のページ画像群と前記第２のページ画像群との前記第１の方向における相対的位置関係を変更し、
前記表示制御手段は、前記相対的位置関係変更後の前記表示対象領域を前記ユーザインターフェイス部に表示させることを特徴とする電子文書閲覧システム。
【請求項１３】
請求項１０ないし請求項１２のいずれかに記載の電子文書閲覧システムにおいて、
前記生成手段は、前記複数の電子文書の各ページに含まれるキーワード情報を抽出し、当該キーワード情報に基づいて前記複数の電子文書の前記各ページ相互間の前記関連性情報を生成することを特徴とする電子文書閲覧システム。
【請求項１４】
請求項１ないし請求項１３のいずれかに記載の電子文書閲覧システムにおいて、
前記ユーザインターフェイス部は、携帯端末に設けられるタッチスクリーンであることを特徴とする電子文書閲覧システム。
【請求項１５】
コンピュータに、
ａ）閲覧対象の複数の電子文書における各ページのページ画像をそれぞれ生成するステップと、
ｂ）前記複数の電子文書の複数のページ画像を仮想配置領域に配置するステップであって、前記複数の電子文書のうちの第１の電子文書の複数のページのページ画像群である第１のページ画像群を前記仮想配置領域において第１の方向に配列し、且つ、前記複数の電子文書のうちの第２の電子文書の複数のページのページ画像群である第２のページ画像群をも前記仮想配置領域において前記第１の方向に配列するとともに、前記第１のページ画像群と前記第２のページ画像群とを前記仮想配置領域において前記第１の方向とは異なる第２の方向に隣接配置するステップと、
ｃ）前記仮想配置領域のうちの表示対象領域をユーザインターフェイス部に表示させるステップと、
ｄ）ユーザによるジェスチャ操作を受け付けるステップと、
ｅ）前記第１のページ画像群と前記第２のページ画像群との前記第１の方向における相対的位置関係を前記ジェスチャ操作に応じて変更するステップと、
ｆ）前記相対的位置関係の変更後の前記表示対象領域を前記ユーザインターフェイス部に表示させるステップと、
を実行させるためのプログラム。
【請求項１６】
請求項１５に記載のプログラムにおいて、
ｇ）前記複数の電子文書の各ページ相互間の関連性情報を生成するステップと、
ｈ）前記第１の電子文書の特定ページに注目する注目操作に応じて、前記第１の電子文書に隣接する前記第２の電子文書の複数のページのうち、前記特定ページに関連する関連ページを前記関連性情報に基づいて決定するステップと、
ｉ）前記関連ページを前記特定ページに隣接させるように、前記第１のページ画像群と前記第２のページ画像群との前記第１の方向における相対的位置関係を変更するステップと、
ｋ）前記ステップｉ）における前記相対的位置関係の変更後の前記表示対象領域を前記ユーザインターフェイス部に表示させるステップと、
をコンピュータにさらに実行させるためのプログラム。
【請求項１７】
コンピュータに、
ａ）第１の電子文書の各ページと第２の電子文書の各ページとの相互間の関連性情報を生成するステップ、
ｂ）前記第１の電子文書の複数のページの中から代表ページを決定するステップと、
ｃ）前記代表ページの属する前記第１の電子文書に対して隣接する前記第２の電子文書の複数のページの中から、前記代表ページに関連する関連ページを前記関連性情報に基づいて決定するステップと、
ｄ）前記第１の電子文書と前記第２の電子文書とにおける各ページのページ画像をそれぞれ生成するステップと、
ｅ）前記第１の電子文書の複数のページのページ画像群である第１のページ画像群を仮想配置領域において第１の方向に配列し且つ前記第２の電子文書の複数のページのページ画像群である第２のページ画像群をも前記仮想配置領域において前記第１の方向に配列し、且つ、前記第１のページ画像群と前記第２のページ画像群とを前記仮想配置領域において前記第１の方向とは異なる第２の方向に隣接配置するとともに、前記関連ページを前記代表ページに隣接させるように前記第１のページ画像群と前記第２のページ画像群との前記第１の方向における相対的位置関係を調整するステップと、
ｆ）前記仮想配置領域のうちの表示対象領域を決定するステップと、
ｇ）前記表示対象領域をユーザインターフェイス部に表示させるステップと、
ｈ）ユーザによるジェスチャ操作を受け付けるステップと、
ｉ）前記第１のページ画像群と前記第２のページ画像群との前記第１の方向における相対的位置関係を前記ジェスチャ操作に応じて変更するステップと、
ｊ）前記ステップｉ）における前記相対的位置関係の変更後の前記表示対象領域を前記ユーザインターフェイス部に表示させるステップと、
を実行させるためのプログラム。
【発明の詳細な説明】
【技術分野】
【０００１】
本発明は、電子文書を閲覧する電子文書閲覧システムおよびそれに関連する技術に関する。
【背景技術】
【０００２】
スマートフォンあるいはタブレット端末等においては、アプリケーションソフトウエアプログラム（以下、単にアプリケーションとも称する）として、電子文書を閲覧する電子文書閲覧アプリケーション等が用いられる。スマートフォンあるいはタブレット端末においては単一のウインドウによる表示が行われるため、当該電子文書閲覧アプリケーションにおいては、複数の電子文書がオープンされるとしても、各種の選択操作で切換表示が行われることによって、当該複数の電子文書が閲覧される。すなわち、同時に閲覧可能な電子文書は１つのみである。
【０００３】
また、特許文献１においては、ハイパーテキスト構造を有する電子文書群を、そのリンク構造に基づいて積層配置する技術が記載されている。より具体的には、文書１内の特定箇所に関連づけられた文書２が文書１上に積層配置され、さらに文書２内の特定箇所に関連づけられた文書３が文書２上に積層配置されることが記載されている（特許文献１の図６等参照）。
【先行技術文献】
【特許文献】
【０００４】
【特許文献１】特開２０００−１７２２４８号公報
【発明の概要】
【発明が解決しようとする課題】
【０００５】
上述のように、電子文書閲覧アプリケーションにおいて複数の電子文書が閲覧される際には、同時に閲覧可能な電子文書は１つのみであり、ユーザは、同時には単一の電子文書しか見えない。したがって、複数の電子文書を相互に参照することは非常に困難である。
【０００６】
また、パーソナルコンピュータ等においては、電子文書閲覧アプリケーションの複数のウインドウで複数の電子文書をそれぞれ閲覧することも可能ではある。しかしながら、複数の電子文書を相互に参照するためには、各ウインドウでの操作を個別に行って配置調整を行うことを要するなど、その操作性は必ずしも十分ではない。
【０００７】
また、特許文献１に記載の技術においては、複数の電子文書を相互に参照するためには、ハイパーリンクが設定されていることを要する。そのため、関連ページ相互間の関係は固定的であり、ユーザの意思によって相互間の関係を変更することは容易ではない。換言すれば、複数の電子文書において相互参照可能なページは固定的である。
【０００８】
そこで、この発明は、複数の電子文書の複数のページ間の相互参照を比較的柔軟に且つ比較的簡易に行うことが可能な技術を提供することを課題とする。
【課題を解決するための手段】
【０００９】
上記課題を解決すべく、請求項１の発明は、電子文書閲覧システムであって、閲覧対象の複数の電子文書における各ページのページ画像をそれぞれ生成するページ画像生成手段と、前記複数の電子文書の複数のページ画像を仮想配置領域に配置するページ画像配置手段であって、前記複数の電子文書のうちの第１の電子文書の複数のページのページ画像群である第１のページ画像群を前記仮想配置領域において第１の方向に配列し、且つ、前記複数の電子文書のうちの第２の電子文書の複数のページのページ画像群である第２のページ画像群をも前記仮想配置領域において前記第１の方向に配列するとともに、前記第１のページ画像群と前記第２のページ画像群とを前記仮想配置領域において前記第１の方向とは異なる第２の方向に隣接配置するページ画像配置手段と、ユーザによるジェスチャ操作を受け付ける入力制御手段と、前記仮想配置領域のうちの表示対象領域を決定する決定手段と、前記仮想配置領域のうち前記表示対象領域をユーザインターフェイス部に表示させる表示制御手段と、を備え、前記ページ画像配置手段は、前記第１のページ画像群と前記第２のページ画像群との前記第１の方向における相対的位置関係を前記ジェスチャ操作に応じて変更し、前記表示制御手段は、前記相対的位置関係の変更後の前記表示対象領域を前記ユーザインターフェイス部に表示させることを特徴とする。
【００１０】
請求項２の発明は、請求項１の発明に係る電子文書閲覧システムにおいて、前記ページ画像配置手段は、前記第１の電子文書を前記第１の方向に移動させる第１の操作に応じて、前記第１の電子文書と当該第１の電子文書に隣接する第２の電子文書との前記第１の方向における相対的位置関係を変更し、前記表示制御手段は、前記相対的位置関係の変更後の前記表示対象領域を前記ユーザインターフェイス部に表示させることを特徴とする。
【００１１】
請求項３の発明は、請求項２の発明に係る電子文書閲覧システムにおいて、前記第１の操作は、ユーザの一本指によるドラッグ操作を含むことを特徴とする。
【００１２】
請求項４の発明は、請求項２または請求項３の発明に係る電子文書閲覧システムにおいて、前記決定手段は、前記第１の操作とは異なる第２の操作に応じて、前記表示対象範囲を変更し、前記表示制御手段は、変更後の前記表示対象範囲を前記ユーザインターフェイス部に表示させることを特徴とする。
【００１３】
請求項５の発明は、請求項４の発明に係る電子文書閲覧システムにおいて、前記第２の操作は、ユーザの二本指によるピンチ操作を含み、前記決定手段は、前記ピンチ操作に応じて前記表示対象範囲の大きさを変更することを特徴とする。
【００１４】
請求項６の発明は、請求項４の発明に係る電子文書閲覧システムにおいて、前記第２の操作は、ユーザの二本指によるドラッグ操作を含み、前記決定手段は、前記ドラッグ操作に応じて前記表示対象範囲の位置を変更することを特徴とする。
【００１５】
請求項７の発明は、請求項６の発明に係る電子文書閲覧システムにおいて、前記ページ画像配置手段は、前記第１の方向における前記第２の操作に応じて前記第１のページ画像群の一端側が前記表示対象領域の一端側に表示される所定の状態に至った後において、引き続き同じ向きの前記第２の操作が継続される場合には、前記第１のページ画像群の一端側が前記表示対象領域の前記一端側に配置され続けるように、前記第１のページ画像群と前記第２のページ画像群との前記第１の方向における相対的位置関係を随時変更し、前記表示制御手段は、前記ドラッグ操作に応じた位置変更後且つ前記相対的位置関係の変更後の前記表示対象領域を前記ユーザインターフェイス部に随時表示させることを特徴とする。
【００１６】
請求項８の発明は、請求項１の発明に係る電子文書閲覧システムにおいて、前記ページ画像配置手段は、前記複数の電子文書のうちの一の電子文書を前記第２の方向に移動させる第３の操作に応じて、前記複数の電子文書の前記第２の方向における配置順序を変更し、前記表示制御手段は、前記配置順序の変更後の前記表示対象領域を前記ユーザインターフェイス部に表示させることを特徴とする。
【００１７】
請求項９の発明は、請求項８の発明に係る電子文書閲覧システムにおいて、前記第３の操作は、前記一の電子文書に対する長押しドラッグドロップ操作を含むことを特徴とする。
【００１８】
請求項１０の発明は、請求項１の発明に係る電子文書閲覧システムにおいて、前記複数の電子文書の各ページ相互間の関連性情報を生成する生成手段、をさらに備え、前記ページ画像配置手段は、前記第１の電子文書の特定ページに注目する注目操作に応じて、前記第１の電子文書に隣接する前記第２の電子文書の複数のページの中から、前記特定ページに関連する関連ページを前記関連性情報に基づいて決定するとともに、当該関連ページを前記特定ページに隣接させるように、前記第１のページ画像群と前記第２のページ画像群との前記第１の方向における相対的位置関係を変更し、前記表示制御手段は、前記相対的位置関係変更後の前記表示対象領域を前記ユーザインターフェイス部に表示させることを特徴とする。
【００１９】
請求項１１の発明は、請求項１０の発明に係る電子文書閲覧システムにおいて、前記注目操作は、前記特定ページを拡大表示させるピンチアウト操作を含むことを特徴とする。
【００２０】
請求項１２の発明は、請求項１の発明に係る電子文書閲覧システムにおいて、前記複数の電子文書の各ページ相互間の関連性情報を生成する生成手段、をさらに備え、前記ページ画像配置手段は、ファイルオープン操作の際に前記表示対象範囲内に配置される複数のページの中から代表ページを決定し、前記代表ページの属する前記第１の電子文書に対して隣接する前記第２の電子文書の複数のページの中から、前記代表ページに関連する関連ページを前記関連性情報に基づいて決定するとともに、当該関連ページを前記代表ページに隣接させるように、前記第１のページ画像群と前記第２のページ画像群との前記第１の方向における相対的位置関係を変更し、前記表示制御手段は、前記相対的位置関係変更後の前記表示対象領域を前記ユーザインターフェイス部に表示させることを特徴とする。
【００２１】
請求項１３の発明は、請求項１０ないし請求項１２のいずれかの発明に係る電子文書閲覧システムにおいて、前記生成手段は、前記複数の電子文書の各ページに含まれるキーワード情報を抽出し、当該キーワード情報に基づいて前記複数の電子文書の前記各ページ相互間の前記関連性情報を生成することを特徴とする。
【００２２】
請求項１４の発明は、請求項１ないし請求項１３のいずれかの発明に係る電子文書閲覧システムにおいて、前記ユーザインターフェイス部は、携帯端末に設けられるタッチスクリーンであることを特徴とする。
【００２３】
請求項１５の発明は、コンピュータに、ａ）閲覧対象の複数の電子文書における各ページのページ画像をそれぞれ生成するステップと、ｂ）前記複数の電子文書の複数のページ画像を仮想配置領域に配置するステップであって、前記複数の電子文書のうちの第１の電子文書の複数のページのページ画像群である第１のページ画像群を前記仮想配置領域において第１の方向に配列し、且つ、前記複数の電子文書のうちの第２の電子文書の複数のページのページ画像群である第２のページ画像群をも前記仮想配置領域において前記第１の方向に配列するとともに、前記第１のページ画像群と前記第２のページ画像群とを前記仮想配置領域において前記第１の方向とは異なる第２の方向に隣接配置するステップと、ｃ）前記仮想配置領域のうちの表示対象領域をユーザインターフェイス部に表示させるステップと、ｄ）ユーザによるジェスチャ操作を受け付けるステップと、ｅ）前記第１のページ画像群と前記第２のページ画像群との前記第１の方向における相対的位置関係を前記ジェスチャ操作に応じて変更するステップと、ｆ）前記相対的位置関係の変更後の前記表示対象領域を前記ユーザインターフェイス部に表示させるステップと、を実行させるためのプログラムであることを特徴とする。
【００２４】
請求項１６の発明は、請求項１５の発明に係るプログラムにおいて、ｇ）前記複数の電子文書の各ページ相互間の関連性情報を生成するステップと、ｈ）前記第１の電子文書の特定ページに注目する注目操作に応じて、前記第１の電子文書に隣接する前記第２の電子文書の複数のページのうち、前記特定ページに関連する関連ページを前記関連性情報に基づいて決定するステップと、ｉ）前記関連ページを前記特定ページに隣接させるように、前記第１のページ画像群と前記第２のページ画像群との前記第１の方向における相対的位置関係を変更するステップと、ｋ）前記ステップｉ）における前記相対的位置関係の変更後の前記表示対象領域を前記ユーザインターフェイス部に表示させるステップと、をコンピュータにさらに実行させるためのプログラムであることを特徴とする。
【００２５】
請求項１７の発明は、コンピュータに、ａ）第１の電子文書の各ページと第２の電子文書の各ページとの相互間の関連性情報を生成するステップ、ｂ）前記第１の電子文書の複数のページの中から代表ページを決定するステップと、ｃ）前記代表ページの属する前記第１の電子文書に対して隣接する前記第２の電子文書の複数のページの中から、前記代表ページに関連する関連ページを前記関連性情報に基づいて決定するステップと、ｄ）前記第１の電子文書と前記第２の電子文書とにおける各ページのページ画像をそれぞれ生成するステップと、ｅ）前記第１の電子文書の複数のページのページ画像群である第１のページ画像群を仮想配置領域において第１の方向に配列し且つ前記第２の電子文書の複数のページのページ画像群である第２のページ画像群をも前記仮想配置領域において前記第１の方向に配列し、且つ、前記第１のページ画像群と前記第２のページ画像群とを前記仮想配置領域において前記第１の方向とは異なる第２の方向に隣接配置するとともに、前記関連ページを前記代表ページに隣接させるように前記第１のページ画像群と前記第２のページ画像群との前記第１の方向における相対的位置関係を調整するステップと、ｆ）前記仮想配置領域のうちの表示対象領域を決定するステップと、ｇ）前記表示対象領域をユーザインターフェイス部に表示させるステップと、ｈ）ユーザによるジェスチャ操作を受け付けるステップと、ｉ）前記第１のページ画像群と前記第２のページ画像群との前記第１の方向における相対的位置関係を前記ジェスチャ操作に応じて変更するステップと、ｊ）前記ステップｉ）における前記相対的位置関係の変更後の前記表示対象領域を前記ユーザインターフェイス部に表示させるステップと、を実行させるためのプログラムであることを特徴とする。
【発明の効果】
【００２６】
請求項１ないし請求項１７に記載の発明によれば、複数の電子文書の複数のページ間の相互参照を比較的柔軟に且つ比較的簡易に行うことが可能である。
【図面の簡単な説明】
【００２７】
【図１】第１実施形態に係る電子文書閲覧システムを示す図である。
【図２】携帯端末の外観を示す概略図（正面図）である。
【図３】仮想配置領域に１つ目の電子文書が配置された状態を示す図である。
【図４】仮想配置領域に２つ目の電子文書が配置された状態を示す図である。
【図５】仮想配置領域に３つ目の電子文書が配置された状態を示す図である。
【図６】表示対象領域内の電子文書が携帯端末に表示されている様子を示す図である。
【図７】一本指フリック操作に応じて特定文書が相対移動する様子を示す図である。
【図８】一本指フリック操作に応じて特定文書が相対移動する様子を示す図である。
【図９】一本指フリック操作に応じて特定文書が相対移動する様子を示す図である。
【図１０】ピンチイン操作に応じて表示対象領域が変更される様子を示す図である。
【図１１】ピンチイン操作後の表示内容を示す図である。
【図１２】ピンチアウト操作に応じて表示対象領域が変更される様子を示す図である。
【図１３】ピンチアウト操作後の表示内容を示す図である。
【図１４】二本指フリック操作に応じて表示対象領域が移動する様子を示す図である。
【図１５】二本指フリック操作に応じて表示対象領域が移動する様子を示す図である。
【図１６】二本指フリック操作に応じて表示対象領域が横方向に移動する様子を示す図である。
【図１７】二本指フリック操作に応じて表示対象領域が横方向に移動する様子を示す図である（循環表示）。
【図１８】上向きの二本指フリック操作に応じて表示対象領域が移動する様子を示す図である。
【図１９】上向きの二本指フリック操作に応じて表示対象領域が移動する様子を示す図である。
【図２０】上向きの二本指フリック操作に応じて表示対象領域が移動する様子を示す図である。
【図２１】上向きの二本指フリック操作に応じて表示対象領域が移動する様子を示す図である。
【図２２】上向きの二本指フリック操作に応じて表示対象領域が移動する様子を示す図である。
【図２３】上向きの二本指フリック操作に応じて表示対象領域が移動する様子を示す図である。
【図２４】下向きの二本指フリック操作に応じて表示対象領域が移動する様子を示す図である。
【図２５】下向きの二本指フリック操作に応じて表示対象領域が移動する様子を示す図である。
【図２６】下向きの二本指フリック操作に応じて表示対象領域が移動する様子を示す図である。
【図２７】一本指長押し操作に応じた文書入替動作を示す図である。
【図２８】一本指長押し操作に応じた文書入替動作を示す図である。
【図２９】一本指長押し操作に応じた文書入替動作を示す図である。
【図３０】見開きページに関するページ配置動作を示す図である。
【図３１】見開きページに関するページ配置動作を示す図である。
【図３２】見開きページに関するページ配置動作を示す図である。
【図３３】見開きページに関するページ配置動作を示す図である。
【図３４】見開きページに関するページ配置動作を示す図である。
【図３５】注目操作に応じたページ配置動作を示す図である。
【図３６】注目操作に応じたページ配置動作を示す図である。
【図３７】注目操作に応じたページ配置動作を示す図である。
【図３８】注目操作に応じたページ配置動作を示す図である。
【図３９】第２実施形態に係る携帯端末の構成を示す図である。
【発明を実施するための形態】
【００２８】
以下、本発明の実施形態を図面に基づいて説明する。
【００２９】
＜１．第１実施形態＞
＜１−１．構成＞
図１は、第１実施形態に係る電子文書閲覧システム１を示す図であり、より詳細には、電子文書閲覧システム１を構成する携帯情報端末（携帯端末とも称する）６０の機能ブロックを示す図である。また、図２は、携帯端末６０の外観を示す概略図（正面図）である。
【００３０】
図１に示すように、この携帯端末６０は、単独で電子文書閲覧システム１を構成する。携帯端末６０は、たとえばスマートフォンあるいはタブレット端末等として構成される。
【００３１】
図１に示すように、携帯端末６０は、通信部６４、格納部６５、入出力部６６およびコントローラ６９等を有している。
【００３２】
通信部６４は、ネットワーク通信等を行う処理部である。当該ネットワーク通信を利用することによって、携帯端末６０は、所望の相手先との間で各種のデータを授受することが可能である。
【００３３】
格納部６５は、不揮発性の半導体メモリ等の記憶装置で構成される。格納部６５は、各種のデータファイル（複数の電子文書等）等を記憶する。
【００３４】
入出力部６６は、ユーザからの各種の操作入力を受け付ける操作入力部６６ａと、各種情報の表示出力を行う表示部６６ｂとを備えている。この携帯端末６０においては、操作パネル部７０（図７等参照）が入出力部６６として設けられている。
【００３５】
この操作パネル部７０は、液晶表示パネルに圧電センサ等が埋め込まれたタッチスクリーン６２を有している。タッチスクリーン６２は、表示部６６ｂの一部として機能するとともに、操作入力部６６ａの一部としても機能する。
【００３６】
コントローラ６９は、ＣＰＵおよび各種の半導体メモリ等を備えるコンピュータシステムとして構成される。
【００３７】
コントローラ６９は、そのＣＰＵにおいて、格納部６５内に格納されているプログラムを実行することによって、各種の処理部を実現する。
【００３８】
より詳細には、携帯端末６０には所定のＯＳ（オペレーティングシステム）、たとえばアンドロイド（商標）などのＯＳが搭載されており、複数のアプリケーションソフトウエアプログラム（アプリケーションなどとも称する）を当該ＯＳ上で実行することが可能である。これらの複数のアプリケーションプログラムの中には、複数の電子文書を同時に表示可能な電子文書閲覧アプリケーションＡＰ１などが含まれる。
【００３９】
そして、携帯端末６０は、当該アプリケーションＡＰ１を実行することによって、複数の電子文書を表示することができる。当該アプリケーションＡＰ１の実行によって、図１に示すように、コントローラ６９は、入力制御部７１と表示制御部７２と通信制御部７３とページ画像生成部７５とページ画像配置部７６と決定部７７とを含む各種の処理部を実現する。
【００４０】
通信制御部７３は、通信部６４と協働して、外部機器との通信を行う処理部である。
【００４１】
ページ画像生成部７５は、閲覧対象の複数の電子文書ＤＡ、ＤＢ，ＤＣにおける各ページのページ画像ＰＧ（ＰＡ１，ＰＡ２，...，ＰＢ１，ＰＢ２，...，ＰＣ１，ＰＣ２，...，（図５等参照））をそれぞれ生成する処理部である。
【００４２】
ページ画像配置部７６は、複数の電子文書の複数のページ画像を仮想配置領域ＡＲ（図５等参照）に（仮想的に）配置する処理部である。たとえば、ページ画像配置部７６は、複数の電子文書ＤＡ，ＤＢ，ＤＣに関するページ画像群ＧＡ，ＧＢ，ＤＣをページ画像群ごとに仮想配置領域ＡＲにおいてそれぞれ縦方向に配列し、且つ、当該複数のページ画像群ＧＡ，ＧＢ，ＤＣを仮想配置領域ＡＲにおいて横方向に互いに隣接配置する。
【００４３】
入力制御部７１は、操作入力部（タッチスクリーン６２およびボタン６３等）と協働して、ユーザからの携帯端末６０に対する入力（操作入力）を受け付ける処理部である。より詳細には、入力制御部７１は、各種のジェスチャ操作（１本指フリック操作、２本指フリック操作、２本指ピンチイン操作、２本指ピンチアウト操作等）を受け付ける。
【００４４】
表示制御部７２は、表示部（タッチスクリーン６２等）における表示出力動作等を制御する処理部である。表示制御部７２は、仮想配置領域ＡＲのうちの表示対象領域（表示対象範囲）ＴＲ（図５等参照）をタッチスクリーン６２に（詳細には、タッチスクリーン６２の１つのウインドウ内に）表示させる。より詳細には、表示制御部７２は、表示対象領域ＴＲをタッチスクリーン６２の表示領域全体においてなるべく大きく表示する。
【００４５】
決定部７７は、矩形状の仮想配置領域ＡＲのうちの矩形状の表示対象領域ＴＲをユーザによる操作入力等に応じて決定する処理部である。
【００４６】
また、ページ画像配置部７６は複数のページ画像群（複数の電子文書）の相互間の縦方向における相対的位置関係をユーザの操作入力に応じて変更する。また、表示制御部７２は、当該相対的位置関係の変更後の表示対象領域ＴＲをタッチスクリーン６２（ユーザインターフェイス部とも称する）に表示させる。
【００４７】
＜１−２．動作＞
＜文書オープン＞
電子文書閲覧アプリケーションＡＰ１が起動された後、閲覧対象の複数（たとえば３つ）の電子文書ＤＡ，ＤＢ，ＤＣをオープンする指示が所定の画面を用いてユーザにより順次に付与されると、次のような動作が実行される。
【００４８】
まず、最初の電子文書ＤＡのオープン指示が付与されると、ページ画像生成部７５は、電子文書ＤＡにおける複数のページのそれぞれのページ画像（たとえばＰＡ１〜ＰＡ４）を生成する。また、ページ画像配置部７６は、電子文書ＤＡの複数のページ画像（ＰＡ１〜ＰＡ４）で構成されるページ画像群ＧＡを仮想配置領域ＡＲにおいてページ順に上側から下側に向けて縦方向に配列する（図３参照）。より詳細には、第１ページのページ画像ＰＡ１が最上段に配置され、第２ページのページ画像ＰＡ２が第２段に配置される。第３ページのページ画像ＰＡ３以降は、その下段側に順次配列される。そして、仮想配置領域ＡＲのうち表示対象領域ＴＲ内のページ画像がタッチスクリーン６２に表示される。初期状態においては、仮想配置領域ＡＲのうち予め定められた領域（２つのページ画像ＰＡ１，ＰＡ２をその左半領域に表示する領域）が表示対象領域ＴＲとして決定されるものとする。なお、後述するように、表示対象領域ＴＲ（詳細には、その位置および大きさ）は、ユーザ操作に応じて変更され得る。
【００４９】
次に、２番目の電子文書ＤＢのオープン指示が付与されると、ページ画像生成部７５は、電子文書ＤＢにおける複数のページのそれぞれのページ画像（たとえばＰＢ１〜ＰＢ４）を生成する。また、ページ画像配置部７６は、電子文書ＤＢの複数のページ画像（ＰＢ１〜ＰＢ４）で構成されるページ画像群ＧＢを仮想配置領域ＡＲにおいてページ順に上側から下側に向けて縦方向に配列する（図４参照）。より詳細には、第１ページのページ画像ＰＢ１が最上段に配置され、第２ページのページ画像ＰＢ２が第２段に配置される。第３ページのページ画像ＰＢ３以降は、その下段側に順次配列される。このとき、ページ画像配置部７６は、仮想配置領域ＡＲにおいて、ページ画像群ＧＢをページ画像群ＧＡの横方向（右横側）に隣接配置する。また、表示対象領域ＴＲは、変更されず図３と同じである。そして、仮想配置領域ＡＲのうち表示対象領域ＴＲ内のページ画像がタッチスクリーン６２に表示される（図６）。図４ではページ画像群ＧＡ，ＧＢの第３および第４ページのページ画像（ＰＡ３，ＰＡ４，ＰＢ３，ＰＢ４）はいずれも仮想配置領域ＡＲの外側に存在し、表示対象領域ＴＲ内の４つのページ画像ＰＡ１，ＰＡ２，ＰＢ１，ＰＢ２がタッチスクリーン６２に表示される（図６）。
【００５０】
さらに、３番目の電子文書ＤＣのオープン指示が付与されると、ページ画像生成部７５は、電子文書ＤＣにおける複数のページのそれぞれのページ画像（たとえばＰＣ１〜ＰＣ４）を生成する。また、ページ画像配置部７６は、電子文書ＤＣの複数のページ画像（ＰＣ１〜ＰＣ４）で構成されるページ画像群ＧＣを仮想配置領域ＡＲにおいてページ順に上側から下側に向けて縦方向に配列する（図５参照）。より詳細には、第１ページのページ画像ＰＣ１が最上段に配置され、第２ページのページ画像ＰＣ２が第２段に配置される。第３ページのページ画像ＰＣ３以降は、その下段側に順次配列される。このとき、ページ画像配置部７６は、仮想配置領域ＡＲにおいて、ページ画像群ＧＣをページ画像群ＧＢの横方向（右横側）に隣接配置する。また、表示対象領域ＴＲは、変更されず図４と同じである。そして、仮想配置領域ＡＲのうち表示対象領域ＴＲ内のページ画像がタッチスクリーン６２に表示される（図６）。図５に示すように、ここでは、ページ画像群ＧＣの複数のページ画像ＰＣ１〜ＰＣ４はいずれも仮想配置領域ＡＲの外側に存在し、且つ、ページ画像群ＧＡ，ＧＢの第３および第４ページのページ画像ＰＡ３，ＰＡ４，ＰＢ３，ＰＢ４はいずれも仮想配置領域ＡＲの外側に存在する。そのため、表示対象領域ＴＲ内の４つのページ画像ＰＡ１，ＰＡ２，ＰＢ１，ＰＢ２がタッチスクリーン６２に表示される（図６）。
【００５１】
このように、複数の（ここでは３つ）の電子文書ＤＡ，ＤＢ，ＤＣの各オープン指示に応じて、ページ画像生成部７５は、各電子文書における複数のページのそれぞれのページ画像を生成する。また、ページ画像配置部７６は、各電子文書の複数のページ画像で構成されるページ画像群をそれぞれ仮想配置領域ＡＲにおいてページ順に上側から下側に向けて縦方向に配列する（図５参照）。たとえば、ページ画像配置部７６は、仮想配置領域ＡＲにおいて、電子文書ＤＡの複数のページのページ画像群ＧＡを縦方向に配列し、電子文書ＤＢの複数のページのページ画像群ＧＢを縦方向に配列し、電子文書ＤＣの複数のページのページ画像群ＧＣを縦方向に配列する。また、ページ画像配置部７６は、３つの電子文書ＤＡ，ＤＢ，ＤＣに係る各ページ画像群ＧＡ，ＧＢ，ＧＣを、縦方向に垂直な方向（横方向）において互いに隣接して配置する。そして、表示制御部７２は、仮想配置領域ＡＲのうち表示対象領域ＴＲ内のページ画像（図６ではＰＡ１，ＰＡ２，ＰＢ１，ＰＢ２）をタッチスクリーン６２に表示する。このように、携帯端末６０の表示制御部７２は、複数の電子文書ＤＡ，ＤＢ，ＤＣを１つのアプリケーションの１つのウインドウ内に表示する。特に、複数の電子文書ＤＡ，ＤＢ，ＤＣが自動的に整然と配置される（より詳細には、複数の電子文書ＤＡ，ＤＢ，ＤＣが対比可能となるように横方向（水平方向）に互いに隣接配置される）ので、ユーザは見易いページ配置を容易な操作（ファイルオープン操作）で得ることができる。
【００５２】
＜特定文書スクロール＞
つぎに、各種の操作入力に応じて表示内容が変更される動作について説明する。
【００５３】
タッチスクリーン６２および入力制御部７１は、ユーザによる各種の操作入力（詳細には、ユーザの手指による各種のジェスチャ操作を受け付けることが可能である。たとえば、一本指フリック操作、二本指フリック操作、二本指ピンチイン操作、二本指ピンチアウト操作等が受け付けられ得る。
【００５４】
以下では、まず、一本指フリック操作（一本指ドラッグ操作とも称する）に応じて、複数の電子文書のうちの特定の電子文書のみがスクロールする動作について説明する。
【００５５】
たとえば、ユーザがその人差し指を図６のページ画像ＰＢ２上に押しつけたまま上向きに当該人差し指を移動させる操作（上向きの一本指フリック操作）を行う状況を想定する。このような操作入力（一本指フリック操作）に応じて、ページ画像配置部７６は、ページ画像群ＧＡとページ画像群ＧＢとの縦方向における相対的位置関係、およびページ画像群ＧＣとページ画像群ＧＢとの縦方向における相対的位置関係を変更していく。より具体的には、ページ画像配置部７６は、図７および図８に示すように、電子文書ＤＢに属するページ画像群ＧＢのみを上向きにスライド移動（スクロール）していく。また、表示制御部７２は、当該相対的位置関係の変更後の表示対象領域ＴＲをタッチスクリーン６２に随時表示する。
【００５６】
このような一本指フリック操作に伴う特定文書のスクロール動作においては、仮想配置領域ＡＲ内の表示対象領域ＴＲの位置および大きさは変更されず、当該スクロール後に当該表示対象領域ＴＲ内に存在するページ画像がタッチスクリーン６２に表示される。具体的には、図５、図７および図８の各図における表示対象領域ＴＲ内のページ画像がタッチスクリーン６２に表示される。
【００５７】
その結果、仮想配置領域ＡＲにおける各ページ画像の配置状態、および表示対象領域ＴＲ内の各ページ画像の配置状態は、図５の状態から図７の状態を経て図８の状態へと順次遷移していく。図８の状態では、（電子文書ＤＡの第１ページの）ページ画像ＰＡ１の右横に（電子文書ＤＢの第２ページの）ページ画像ＰＢ２が配置され、（電子文書ＤＡの第２ページの）ページ画像ＰＡ２の右横に（電子文書ＤＢの第３ページの）ページ画像ＰＢ３が隣接配置される。
【００５８】
このように、電子文書ＤＢに対する一本指フリック操作によって、電子文書ＤＢのページ画像を上下方向にスライド移動（スクロール）させることによって、電子文書ＤＡ，ＤＢの相互間におけるページの対応関係が変更される。ユーザは、このような一本指フリック操作を行うことによって、たとえば、（電子文書ＤＡの第１ページの）ページ画像ＰＡ１の右横に、ページ画像ＰＡ１と対比したい（電子文書ＤＢの）ページ画像（たとえばＰＢ２）を適宜に隣接配置させて閲覧することが可能である。換言すれば、電子文書ＤＡのページ画像群ＧＡのうちの特定ページ画像ＰＡ１が、他の電子文書ＤＢのページ画像群ＧＢのうちの関連ページ画像ＰＢ２（当該特定ページ画像ＰＡ１に関連するページのページ画像）に対して隣接するように、両ページ画像群ＧＡ，ＧＢが相対的に縦方向に移動されて表示される。すなわち、ユーザは、複数の電子文書の相互間で互いに対比したいページ画像を容易に隣接配置して閲覧することが可能である。
【００５９】
また、逆向きの動作も同様にして行われる（図９参照）。具体的には、図８の状態においてユーザがその（右手の）人差し指をページ画像ＰＢ２上に押しつけたまま当該人差し指を今度は下向きに移動させる操作（下向きの一本指フリック操作）が行われると、表示対象領域ＴＲ内においてページ画像群ＧＢが下向きにスライド移動（スクロール）していく。
【００６０】
さらに、このような一本指フリック操作は、別の指を用いた他の一本指フリック操作と同時に且つ独立して行われ得る。たとえば、ユーザがその右手人差し指による下向きの一本指フリック操作を或る電子文書ＤＢのページ画像ＰＢ２に対して行うと同時に、その（右手）親指による上向きの一本指フリック操作を別の電子文書ＤＡのページ画像ＰＡ２に対して行うことも可能である（図９参照）。この場合には、表示対象領域ＴＲ内において、ページ画像群ＧＢが下向きにスライド移動していくとともに、ページ画像群ＧＡが上向きにスライド移動していく。その結果、タッチスクリーン６２において、ページ画像群ＧＢが下向きにスライド移動していくとともに、ページ画像群ＧＡが上向きにスライド移動していく。これによれば、ユーザは複数の電子文書を別個の指でそれぞれ独自にスクロールさせることが可能である。なお、ここでは、右手人差し指と右手親指とを用いて２つの電子文書がそれぞれスクロールされているが、これに限定されず、他の２本の指（たとえば右手中指および左手人差し指）を用いて、２つの電子文書がそれぞれスクロールされるようにしてもよい。
【００６１】
＜表示対象範囲変更処理（ズーム）＞
つぎに、ユーザによる二本指操作（詳細にはピンチ操作）に応じて、複数の電子文書が全体的に変倍（拡大あるいは縮小）して表示される動作について説明する。
【００６２】
たとえば、ユーザが右手親指と右手人差し指との両指を図６のページ画像ＰＢ２付近に間隔を空けた状態で押しつけ、当該両指をつまむようにして当該両指の間隔を狭める操作（二本指によるピンチイン操作）を行う状況を想定する。このような操作入力（ピンチイン操作）に応じて、決定部７７は、表示対象領域ＴＲの大きさを変更する。具体的には、図１０に示すように、比較的多数のページ画像が含まれるように、仮想配置領域ＡＲにおいて表示対象領域ＴＲが拡大される。なお、このようなピンチイン操作に応じては、仮想配置領域ＡＲ内の各ページ画像の相互間の位置関係（相対位置関係）は変更されない。そして、表示制御部７２は、大きさ変更後の表示対象領域ＴＲをタッチスクリーン６２に表示させる。
【００６３】
その結果、図１１に示すように、タッチスクリーン６２には、より多数のページ画像、具体的には、９枚のページ画像ＰＡ１〜ＰＡ３，ＰＢ１〜ＰＢ３，ＰＣ１〜ＰＣ３が表示される。このとき、１枚あたりの表示面積は小さくなる。すなわち、タッチスクリーン６２においては、変倍率が小さくなり（縮小されて）、各ページ画像が縮小表示される。
【００６４】
ユーザは、このような二本指ピンチイン操作を行うことによって、複数の電子文書の相対的位置関係を維持したまま比較的多数のページ画像を視認することができる。すなわち、ユーザは、１つの操作（ピンチイン操作）を行うことによって、比較的広範囲に亘る比較的多数のページ画像、特に複数の電子文書に係る多数のページ画像を容易に俯瞰することが可能である。複数の電子文書のそれぞれに対して個別の縮小操作を行うことを要しないので、高い操作性を得ることが可能である。
【００６５】
今度は、逆に、ユーザが右手親指と右手人差し指との両指を図６のページ画像ＰＢ２付近に押しつけた状態から、当該両指の間隔を拡大する操作（二本指によるピンチアウト操作）を行う状況を想定する。このような操作入力（ピンチアウト操作）に応じて、決定部７７は、表示対象領域ＴＲの大きさを変更する。具体的には、図１２に示すように、比較的少数のページ画像が含まれるように、仮想配置領域ＡＲにおいて表示対象領域ＴＲが縮小される。なお、このようなピンチアウト操作に応じては、仮想配置領域ＡＲ内の各ページ画像の相互間の位置関係（相対位置関係）は変更されない。そして、表示制御部７２は、大きさ変更後の表示対象領域ＴＲをタッチスクリーン６２に表示させる。
【００６６】
その結果、図１３に示すように、タッチスクリーン６２には、より少数のページ画像、具体的には、主に１枚のページ画像ＰＡ２が表示される。このとき、１枚あたりの表示面積は大きくなる。すなわち、タッチスクリーン６２においては、変倍率が大きくなり（拡大されて）、ページ画像ＰＢ２が拡大表示される。
【００６７】
ユーザは、このような二本指ピンチアウト操作を行うことによって、複数の電子文書の相対的位置関係を維持したまま比較的少数のページ画像を拡大して視認することができる。すなわち、ユーザは、注視したいページ画像を容易に拡大して視認することが可能である。なお、ピンチアウト操作時には複数の電子文書の相対的位置関係は維持されている（変更されない）ので、当該ピンチアウト操作時後に再びピンチイン操作を行うことによって、再び図６あるいは図１１等のような表示を容易に実現することも可能である。
【００６８】
また、同様に、図１１（図１０）の状態にてピンチアウト操作を行うことによって、図６（図５）の状態に遷移することも可能である。これによれば、ユーザは、複数の電子文書の相対的位置関係を維持したまま、注視したい比較的少数のページ画像（詳細には、複数の電子文書ＤＡ，ＤＢに係る４枚のページ画像ＰＡ，ＰＡ２，ＰＢ１，ＰＢ２）を容易に拡大して視認することが可能である、また特に、複数の電子文書のそれぞれに対して個別の拡大操作を行うことを要しないので、高い操作性を得ることが可能である。
【００６９】
＜表示対象範囲変更処理（移動）＞
つぎに、ユーザによる二本指操作（詳細には二本指フリック操作（二本指ドラッグ操作とも称する））に応じて、複数の電子文書が上下方向および／または左右方向に全体的に移動して表示される動作について説明する。
【００７０】
たとえば、ユーザが右手人差し指と右手中指との両指を図６のページ画像ＰＡ２付近に押しつけた後に上方向（上向き）にスライド移動させる操作（二本指によるフリック操作）を行う状況を想定する。このような操作入力（二本指フリック操作）に応じて、決定部７７は、表示対象領域ＴＲの位置を変更する。具体的には、図１４に示すように、仮想配置領域ＡＲにおいて表示対象領域ＴＲが「下方向（下向き）」（スライド操作の向きとは逆向き）に移動される。なお、このような二本指フリック操作に応じては、表示対象領域ＴＲの大きさは変更されず、仮想配置領域ＡＲ内の各ページ画像の相互間の位置関係（相対位置関係）も変更されない。そして、表示制御部７２は、範囲変更後（位置変更後）の表示対象領域ＴＲをタッチスクリーン６２に表示させる。
【００７１】
その結果、タッチスクリーン６２には、４つの画像ＰＡ１，ＰＡ２，ＰＢ１，ＰＢ２を囲む領域（図１４の破線で囲まれる領域）よりも下側に存在する（位置変更後の）表示対象領域ＴＲ（図１４の太線で囲まれる領域）内のページ画像が表示される。より具体的には、２枚のページ画像ＰＡ２，ＰＢ２がタッチスクリーン６２の上下方向中央部に表示されるとともに、両ページ画像ＰＡ２，ＰＢ２の上側のページ画像ＰＡ１，ＰＢ１の略下側半分と、両ページ画像ＰＡ２，ＰＢ２の下側のページ画像ＰＡ３，ＰＢ３の略上側半分とが表示される。
【００７２】
ユーザは、このような二本指フリック操作を行うことによって、複数の電子文書の相対的位置関係を維持したまま、表示対象のページ画像を変更することができる。たとえば、注視したい特定のページ画像ＰＡ２の横に、当該特定のページ画像ＰＡ２に関連する関連ページ画像ＰＢ２を配置した状態のまま、その近傍のページ画像ＰＡ３，ＰＢ３等をも視認することができる。特に、ページ画像ＰＡ３とページ画像ＰＢ３とが関連性を有している場合においては、このような二本指フリック操作を行うだけで、当該両ページ画像ＰＡ３，ＰＢ３の対比をも容易に行うことが可能である。
【００７３】
今度は、ユーザが右手人差し指と右手中指との両指を図６のページ画像ＰＢ２付近に押しつけた後に「左上方向」にスライド移動させる操作（二本指によるフリック操作）を行う状況を想定する。このような操作入力（二本指フリック操作）に応じて、決定部７７は、表示対象領域ＴＲの位置を変更する。具体的には、図１５に示すように、仮想配置領域ＡＲにおいて表示対象領域ＴＲが「右下方向」に移動される。なお、このような二本指フリック操作に応じては、表示対象領域ＴＲの大きさは変更されず、仮想配置領域ＡＲ内の各ページ画像の相互間の位置関係（相対位置関係）も変更されない。そして、表示制御部７２は、範囲変更後の表示対象領域ＴＲをタッチスクリーン６２に表示させる。
【００７４】
その結果、タッチスクリーン６２には、４つの画像ＰＡ１，ＰＡ２，ＰＢ１，ＰＢ２を囲む領域（図１５の破線で囲まれる領域）よりも右下側に存在する（位置変更後の）表示対象領域ＴＲ（図１５の太線で囲まれる領域）が表示される。
【００７５】
この場合には、上下方向のみならず左右方向にも表示対象領域ＴＲが移動される。その結果、多数の電子文書の相互間における相互参照をさらに容易に実現することが可能である。たとえば、ページ画像ＰＡ２とページ画像ＰＢ２とが関連し且つページ画像ＰＢ２とページ画像ＰＣ２とが関連している場合には、３つの電子文書ＤＡ，ＤＢ，ＤＣの相互間において互いに関連するページ画像ＰＡ２，ＰＢ２，ＰＣ２を容易に閲覧することが可能である。より詳細には、横方向に配列された３つのページ画像のうち２ページずつを比較的拡大した状態で順次に視認することが可能である。
【００７６】
＜表示対象範囲変更処理（横方向の二本指フリック操作に伴う循環表示）＞
また、左方向への連続的な二本指フリック操作に応じては、複数の電子文書が循環的に表示される。たとえば、ページ画像を左に移動させる左向きの二本指フリック操作に応じて、図１４の状態から図１５の状態へと遷移して比較的右側のページ画像がタッチスクリーン６２に表示された後に、更なる左向きの二本指フリック操作によって更にページ画像を更に左に移動させる操作が行われる状況を想定する。
【００７７】
ここにおいて、図１５では３つの電子文書のうち最も右側の電子文書ＤＣのさらに右側には別の電子文書は存在しない。したがって、仮にそのままで図１５の状態から左向きの二本指フリック操作が行われたとしても、電子文書ＤＣのページ画像ＰＣ２の右側には新たな表示対象ページが存在せず、ページ画像ＰＣ２の右側には空白領域が表示されることになる。
【００７８】
一方、この実施形態では、ページ画像ＰＣ２がタッチスクリーン６２の右端に表示された後にページ画像を更に左に移動させる左向きの二本指フリック操作が行われる場合には、次のような動作が行われる。具体的には、ページ画像配置部７６は、仮想配置領域ＡＲにおいて最も左側に配置され且つ表示対象領域ＴＲから外れていた電子文書ＤＡを、最も右側の電子文書ＤＣの更に右側に移動する（図１７参照）。そして、決定部７７は、二本指フリック操作に応じた新たな表示対象領域ＴＲを決定する。当該新たな表示対象領域ＴＲには、電子文書ＤＣのページ画像（ＰＣ２等）に加えて移動後の電子文書ＤＡのページ画像（ＰＡ２等）も含まれる。そして、表示制御部７２は、当該新たな表示対象領域ＴＲをタッチスクリーン６２に表示する。これにより、最右側の電子文書ＤＣの更に右側に電子文書ＤＡが配置され、その電子文書ＤＡのページ画像ＰＡもがタッチスクリーン６２に表示される。
【００７９】
このようにして、図１４、図１５（図１６）、および図１７の順で、仮想配置領域ＡＲ内の配置が変更されるとともに、仮想配置領域ＡＲ内における表示対象領域ＴＲの位置が変更され、タッチスクリーン６２の表示内容が変更される。この結果、タッチスクリーン６２において、３つの電子文書ＤＡ，ＤＢ，ＤＣに係る３つのページ画像ＰＡ，ＰＢ，ＰＣを循環的に表示することができる。
【００８０】
なお、右方向への連続的な二本指フリック操作に応じても、同様に（ただし逆順で）、複数の電子文書が循環的に表示される。
【００８１】
＜表示対象範囲変更処理（縦方向の二本指フリック操作に伴う表示例）＞
また、上下方向における二本指フリック操作に伴って、３つの電子文書のうちの一の電子文書の最初のページ（上端ページ）あるいは最後のページ（下端ページ）が表示対象領域ＴＲの端部に表示される状態にまで到達した後に、さらに同じ向きの二本指フリック操作が継続される場合には、次のような動作が（いわば例外的に）行われればよい。
【００８２】
ここでは、まず上向きの二本指フリック操作によって、図８の状態から図１８を経て図１９の状態に到達したものとする。図１９は、上向きの二本指フリック操作に応じて表示対象領域ＴＲが下向きに移動し、複数の電子文書のうちの一の電子文書ＤＢのページ画像群ＧＢの下端側（終端側）のページ画像ＰＢ４が表示対象領域ＴＲの下端側に表示される状態を示している。
【００８３】
さらに、図１９に示すような状態に至った後において、引き続き同様の操作（上向きの二本指フリック操作）が継続されるものとする。
【００８４】
この場合、図１９の状態から図２２の状態に遷移しさらに図２３の状態に遷移するようにしてもよい。
【００８５】
ただし、ここでは、図１９の状態から（図２２ではなく）図２０の状態に遷移しさらに図２１の状態に遷移するものとする。具体的には、決定部７７は表示対象領域ＴＲを変更（更新）するとともに、ページ画像配置部７６はページ画像の配置を変更する。詳細には、一の電子文書ＤＢのページ画像群ＧＢの一端側（終端側）が表示対象領域ＴＲの一端側（下端側）に配置され続けるように、ページ画像配置部７６は、一の電子文書ＤＢと当該一の電子文書ＤＢに隣接する電子文書ＤＡ，ＤＣとの縦方向における相対的位置関係を随時変更する（図２０および図２１参照）。そして、表示制御部７２は、変更後（当該相対的位置関係の変更後且つ二本指フリック操作に応じた位置変更後）の表示対象領域ＴＲをタッチスクリーン６２に随時表示する。
【００８６】
換言すれば、仮想配置領域ＡＲ内における表示対象領域ＴＲの下向きの移動に伴って一の電子文書ＤＢの終端ページが表示対象領域ＴＲの終端に表示された後において、さらに表示対象領域ＴＲが仮想配置領域ＡＲ内において同じ向き（下向き）に移動される場合には、ページ画像群ＧＢの終端ページが表示対象領域ＴＲの下端側に固定された状態で、ページ画像群ＧＢが仮想配置領域ＡＲ内にて移動する。端的に言えば、電子文書ＤＢの最終ページのページ画像ＰＢ４が表示対象領域ＴＲの下端側にひっついた状態で、ページ画像群ＧＢが表示対象領域ＴＲとともに下向きに移動していく。すなわち、更なる二本指フリック操作に応じて、電子文書ＤＢの最終ページのページ画像ＰＢ４が表示され続ける。
【００８７】
これによれば、たとえば、電子文書ＤＢが数学の教科書であり且つ電子文書ＤＡが数学の解答例を示す文書である場合に、当該電子文書ＤＢの最終ページ（ページ画像ＰＢ４）に記載された章末問題を表示しつつ、電子文書ＤＡの複数のページに亘って記載された各問題の解答例を随時閲覧することなどが可能である。
【００８８】
また、上述の上向きの二本指フリック操作に引き続いて逆の動作が行われる場合には、図２１の状態から図２０の状態を経て図１９に戻り、さらに図１８の状態に戻るようにする。
【００８９】
具体的には、上向きの二本指フリック操作とは逆向きの新たな操作（下向きの二本指フリック操作）が図２１の状態にて開始された後、図１９の状態に復帰するまでは、次の動作が実行される。詳細には、決定部７７は表示対象領域ＴＲを変更（更新）するとともに、ページ画像配置部７６はページ画像の配置を変更する。詳細には、ページ画像配置部７６は、一の電子文書ＤＢのページ画像群ＧＢの終端側が表示対象領域ＴＲの下端側に常に配置されるように、一の電子文書ＤＢと当該一の電子文書ＤＢに隣接する電子文書ＤＡとの縦方向における相対的位置関係を随時変更する。そして、表示制御部７２は、変更後の表示対象領域ＴＲをタッチスクリーン６２に随時表示する。
【００９０】
さらに、図１９の状態への復帰後にも当該新たな操作が継続される場合には、ページ画像配置部７６は今度は両電子文書ＤＡ，ＤＢ相互間の相対的位置関係を変更しない。そして、決定部７７は、当該新たな操作に応じて表示対象領域ＴＲを随時更新し、表示制御部７２は、変更後の表示対象領域ＴＲをタッチスクリーン６２に随時更新表示する（図１８参照）。
【００９１】
これによれば、上向きの二本指フリック操作が行われて図１８、図１９、図２０、図２１の順の状態遷移（往路の状態遷移とも称する）が生じた後に、今度は下向き（逆向き）の二本指フリック操作が行われて図２１、図２０、図１９、図１８の順の状態遷移（復路の状態遷移）が生じる。したがって、往路の状態遷移と復路の状態遷移とが全く逆向きに行われる（往路の状態遷移と復路の状態遷移との間に対称性が存在する）ので、直感的な表示動作が実現される。
【００９２】
なお、ここでは、復路の状態遷移において図１９の状態にまで復帰した時点で両電子文書ＤＡ，ＤＢ相互間の相対的位置関係の変更を伴う動作が終了し、その後は下向きの二本指フリック操作に応じた通常の動作（当該相対的位置関係の変更を伴わない動作）が行われて図１８に復帰する態様が例示されているが、これに限定されない。たとえば、復路において図１９の状態にまで復帰しても両電子文書ＤＡ，ＤＢの相互間の相対的位置関係の変更は（終了せずに）継続されるようにしてもよい。詳細には、復路において、往路の二本指フリック操作が開始された時点と同様の電子文書ＤＡ（ページ画像ＰＡ２の全部、ページ画像ＰＡ１の下半分、およびページ画像ＰＡ３の上半分）が表示された状態（換言すれば、図１８においてページ画像群ＧＢがページ画像の半個分上側に存在する状態）にまで復帰した時点で、両電子文書ＤＡ，ＤＢ相互間の相対的位置関係の変更が終了するようにしてもよい。その後は、下向きの二本指フリック操作に応じた通常の動作が引き続いて行われればよい。
【００９３】
つぎに、下向きの二本指フリック操作に伴って３つの電子文書のうちの一の電子文書ＤＢの最初のページ（上端ページ）が表示対象領域ＴＲの上端部に表示される状態に到達した後に、さらに同じ向き（下向き）の二本指フリック操作が継続される場合の動作について説明する。この動作においては、上記と類似の動作（ただし、操作の向きおよび上下端等が上記とは逆になる動作）が行われる。
【００９４】
具体的には、図２４の状態を経て図２５の状態に到達した後において、引き続き同じ向きの同様の操作（下向きの二本指フリック操作）が継続される場合には、図２５の状態から図２６の状態に遷移するようにすればよい。図２５は、下向きの二本指フリック操作に応じて表示対象領域ＴＲが上向きに移動し、複数の電子文書のうちの一の電子文書ＤＢのページ画像群ＧＢの開始端側のページ画像ＰＢ１が表示対象領域ＴＲの上端側に表示される状態を示している。
【００９５】
詳細には、一の電子文書ＤＢのページ画像群ＧＢの開始端側（ページ画像ＰＢ１）が表示対象領域ＴＲの上端側に配置されるように、ページ画像配置部７６は、一の電子文書ＤＢと当該一の電子文書ＤＢに隣接する電子文書ＤＡ，ＤＣとの縦方向における相対的位置関係を随時変更する（図２６参照）。そして、表示制御部７２は、相対的位置関係の変更後の表示対象領域ＴＲをタッチスクリーン６２に随時表示する。
【００９６】
換言すれば、仮想配置領域ＡＲ内における表示対象領域ＴＲの上向きの移動に伴って一の電子文書ＤＢの開始端ページが表示対象領域ＴＲの上端に表示された（図２５）後において、さらに表示対象領域ＴＲが仮想配置領域ＡＲ内において同じ向き（上向き）に移動される場合には、ページ画像群ＧＢの開始端ページが表示対象領域ＴＲの上端に固定された状態で、ページ画像群ＧＢが仮想配置領域ＡＲ内にて移動する。
【００９７】
これによれば、たとえば、電子文書ＤＢが会議のアジェンダ（ないし概要）を示す概要資料であり且つ電子文書ＤＡが詳細資料文書である場合に、当該電子文書ＤＢの最初のページ（ページ画像ＰＢ１）に記述されたアジェンダ（ないし概要）をなるべく表示しつつ、電子文書ＤＡの各詳細資料を閲覧することなどが可能である。
【００９８】
また、逆の動作が行われる場合には、図２６の状態から図２５の状態を経て図２４の状態に戻るようにすればよい。
【００９９】
具体的には、下向きの二本指フリック操作とは逆向きの新たな操作（上向きの二本指フリック操作）が開始された後、図２５の状態に復帰するまでは、次の動作が実行される。
具体的には、決定部７７は表示対象領域ＴＲを変更（更新）するとともに、ページ画像配置部７６はページ画像の配置を変更する。詳細には、ページ画像配置部７６は、一の電子文書ＤＢのページ画像群ＧＢの開始端側が表示対象領域ＴＲの上端側に配置されるように、一の電子文書ＤＢと当該一の電子文書ＤＢに隣接する電子文書ＤＡとの縦方向における相対的位置関係を変更する。そして、表示制御部７２は、相対的位置関係の変更後の表示対象領域ＴＲをタッチスクリーン６２に表示する。
【０１００】
さらに、図２５の状態への復帰後にも当該新たな操作が継続される場合には、ページ画像配置部７６は今度は両電子文書ＤＡ，ＤＢ相互間の相対的位置関係を変更しない。そして、決定部７７は、当該新たな操作に応じて表示対象領域ＴＲを随時更新し、表示制御部７２は、変更後の表示対象領域ＴＲをタッチスクリーン６２に随時更新表示する（図２４参照）。
【０１０１】
なお、ここでは、復路の状態遷移において図２５の状態にまで復帰した時点で両電子文書ＤＡ，ＤＢ相互間の相対的位置関係の変更を伴う動作が終了し、その後は上向きの二本指フリック操作に応じた通常の動作（当該相対的位置関係の変更を伴わない動作）が行われて図２４に復帰する態様が例示されているが、これに限定されない。たとえば、復路において図２５の状態にまで復帰しても両電子文書ＤＡ，ＤＢの相互間の相対的位置関係の変更は（終了せずに）継続されるようにしてもよい。詳細には、復路において、往路の二本指フリック操作が開始された時点と同様の電子文書ＤＡ（ページ画像ＰＡ３の全部、ページ画像ＰＡ２の下半分、およびページ画像ＰＡ４の上半分）が表示された状態（換言すれば、図２４においてページ画像群ＧＢがページ画像の半個分下側に存在する状態）にまで復帰した時点で、両電子文書ＤＡ，ＤＢ相互間の相対的位置関係の変更が終了するようにしてもよい。その後は、上向きの二本指フリック操作に応じた通常の動作が引き続いて行われればよい。
【０１０２】
＜文書入替処理＞
つぎに、ユーザの一本指長押しスライド操作に応じて、複数の電子文書の配列順序が変更される動作について図２７〜図２９を参照しつつ説明する。
【０１０３】
たとえば、ユーザが右手人差し指を図２７のページ画像ＰＡ２付近にて長押しした後に右方向にスライド移動させる操作（一本指による長押しスライド操作）を行う状況を想定する。具体的には、当該ユーザは、押下状態を維持したまま、押下した指（右手人差し指）を電子文書ＤＢと電子文書ＤＣとの間（より詳細には、電子文書ＤＢのページ画像ＰＢ２と電子文書ＤＣのページ画像ＰＣ２との間）にまで移動させた後に、押下状態を解除する（図２８参照）。
【０１０４】
このような操作入力（一本指長押しスライド操作）に応じて、仮想配置領域ＡＲは図２７の状態から図２８の状態を経て図２９に示す状態へと遷移し、仮想配置領域ＡＲにおける表示対象領域ＴＲ内のページ画像がタッチスクリーン６２に随時表示される。具体的には、まず、押下状態の右手人差し指がページ画像ＰＢ２とページ画像ＰＣ２との間の位置にまで移動する期間においては、図２８に示すように、表示制御部７２は、ページ画像群ＧＡがページ画像群ＧＢとページ画像群ＧＣとの間の位置にまで移動される様子を動画的態様でタッチスクリーン６２に随時表示する。
【０１０５】
そして、右手人差し指がページ画像ＰＢ２とページ画像ＰＣ２との間の位置に存在する状態で押下状態が解除されると、ページ画像配置部７６は、ページ画像群ＧＡをページ画像群ＧＢとページ画像群ＧＣとの間に配置（割込配置）する（図２９参照）。換言すれば、左右方向における複数の電子文書ＤＡ，ＤＢ，ＤＣの配置順序が変更される。具体的には、左から電子文書ＤＡ，ＤＢ，ＤＣの順序（図２７参照）であった複数のページ画像のページ順序が、今度は、左から電子文書ＤＢ，ＤＡ，ＤＣの順序に変更される（図２９参照）。また、表示制御部７２は、このようなページ画像の配置変更後の表示対象領域ＴＲ内のページ画像をタッチスクリーン６２に表示する。その結果、図２９に示すように、タッチスクリーン６２においては、左右方向の中央にページ画像群ＧＡ（詳細にはページ画像ＰＡ１，ＰＡ２）が表示され且つ当該ページ画像群ＧＡの左側にページ画像群ＧＢ（詳細にはページ画像ＰＢ１，ＰＢ２）が表示され且つ当該ページ画像群ＧＡの右側にページ画像群ＧＣ（詳細にはページ画像ＰＣ１，ＰＣ２）が表示される。
【０１０６】
ユーザは、このような一本指長押しスライド操作を行うことによって、複数の電子文書の縦方向における相対的位置関係を維持したまま、横方向における複数の電子文書の配置順序を変更することが可能である。たとえば、電子文書ＤＡを中央に配置し且つ別の２つの電子文書ＤＢ，ＤＣを電子文書ＤＡの左側と右側とにそれぞれ配置することによって、電子文書ＤＡを基準にして他の電子文書ＤＢ，ＤＣとの関係を判り易く示すことができる。より詳細には、電子文書ＤＡの特定のページ画像（たとえばページ画像ＰＡ２）に対応する各ページ画像（ＰＢ２，ＰＣ２）をその両側に配置する対比表示を容易に実現することが可能である。
【０１０７】
＜ページ見開き処理＞
つぎに、ユーザによる特殊な一本指フリック操作（同一の電子文書内の連続２ページのそれぞれに対する一本指同時押下を伴う一本指フリック操作）に応じて、複数の電子文書の見開きページが左右方向（横方向）に配列される動作について説明する。
【０１０８】
たとえば、ユーザが右手人差し指を図３０のページ画像ＰＡ３に押し付け且つ右手親指を図３０のページ画像ＰＡ４に押し付けつつ、右手親指をページ画像ＰＡ３の右横（ページ画像ＰＡ３とページ画像ＰＢ３との間）に移動させる操作を行う状況を想定する。このような操作入力（特殊な一本指フリック操作）に応じて、ページ画像配置部７６は、他の２つの電子文書ＤＢ，ＤＣを、１冊の電子文書の配置スペースに相当する幅にわたって右向きに移動し、ページ画像ＰＡ３の右横に空きスペースを形成する。さらに、ページ画像配置部７６は、右手親指で指し示されていたページ画像ＰＡ４をページ画像ＰＡ３の右横に（上記電子文書ＤＢ，ＤＣの移動によって形成された空きスペースに）配置する（図３１参照）。なお、仮に、第５ページ以降のページ画像（ＰＡ５，...）が存在する場合には、第５ページ以降の各ページ画像は、ページ画像ＰＡ３の下側において下方向に向けて順次に配置されればよい。
【０１０９】
そして、表示制御部７２は、配置更新後の表示対象領域ＴＲをタッチスクリーン６２に表示する（図３１参照）。
【０１１０】
これによれば、１つの電子文書ＤＡ内の見開きページ（横並びに配置されることを前提に作成された連続２ページ）に係るページ画像ＰＡ３，ＰＡ４を簡易な操作で横方向に配列し見易く配置することが可能である。
【０１１１】
また、その後、図３２および図３３に示すように、二本指フリック操作（詳細には、下向きの二本指フリック操作）に応じて、表示対象領域ＴＲが変更（スライド移動）される。そして、さらに下向きの二本指フリック操作が行われると、見開きページに係るページ画像ＰＡ４が表示対象領域ＴＲから外れることに伴って、複数の電子文書ＤＡ，ＤＢ，ＤＣの再配置動作が自動的に行われる。
【０１１２】
具体的には、ページ画像ＰＡ２に付近に対する下向きの二本指フリック操作に応じて、図３２の状態を経て図３３の状態に至り、さらに当該下向きの二本指フリック操作が継続されると、見開きページに係るページ画像ＰＡ４が表示対象領域ＴＲから外れる。
【０１１３】
これに応じて、ページ画像配置部７６は、今度は、図３０から図３１への状態遷移とは逆向きの状態遷移動作を実行する。具体的には、ページ画像配置部７６は、空きスペースに配置されていたページ画像ＰＡ４（および以降のページ画像）を再びページ画像ＰＡ３の下側に配置する（図３３の２点鎖線参照）。さらに、ページ画像配置部７６は、他の２つの電子文書ＤＢ，ＤＣを、１冊の電子文書の配置スペースに相当する幅にわたって逆向き（左向き）に移動し、ページ画像ＰＡ３の右横の空きスペースを消滅させる。これにより、図３４に示すように、電子文書ＤＢが電子文書ＤＡに隣接配置される。より詳細には、ページ画像ＰＡ２に対してページ画像ＰＢ２が隣接配置され、ページ画像ＰＡ１に対してページ画像ＰＢ１が隣接配置される。
【０１１４】
＜小括＞
以上のように、複数の電子文書の閲覧の際に、複数の電子文書のうちの一の電子文書のページ画像群に対する一本指フリック操作に応じて、当該一の電子文書のページ画像群が他の電子文書のページ画像群に対して相対的に縦方向に移動されて表示される（図７〜図１０等参照）。詳細には、当該一の電子文書のページ画像群のうちの特定ページが、他の電子文書のページ画像群のうちの関連ページ（当該特定ページに関連するページ）に対して隣接するように、両ページ画像群が相対的に縦方向に移動されて表示される。このように、ユーザは、一本指フリック操作という直感的な操作によって、複数の電子文書の相互間において関連するページを互いに（横方向に）隣接させて閲覧することが可能である。換言すれば、複数の電子文書の複数のページ間の相互参照を比較的簡易に行うことが可能である。また、複数の電子文書相互間にハイパーリンクが設定されているか否かに拘わらず、ユーザは複数の電子文書の相互間において所望のページ同士を横方向に隣接配置して閲覧することが可能である。換言すれば、複数の電子文書の複数のページ間の相互参照を比較的柔軟に行うことが可能である。
【０１１５】
また、ユーザの二本指操作（二本指フリック操作および／または二本指ピンチ操作（ピンチイン操作／ピンチアウト操作））に応じて表示対象領域ＴＲが変更され、変更後の表示対象領域ＴＲがタッチスクリーン６２に表示される。したがって、ユーザは、二本指操作により仮想配置領域ＡＲ内の所望の範囲を表示対象領域ＴＲとして抽出してタッチスクリーン６２に表示させることが可能である。換言すれば、各電子文書における参照ページを容易に変更することが可能である。
【０１１６】
特に、ユーザは、一本指フリック操作と二本指操作とを順次に行う簡易な操作によって、複数の電子文書において互いに関連するページを柔軟に且つ容易に隣接配置するとともに複数の電子文書に係る複数のページの閲覧対象箇所を容易に変更することが可能である。
【０１１７】
さらに、複数の電子文書のうちの一の電子文書に対する一本指長押しドラッグドロップ操作に応じて、複数の電子文書の横方向における配置順序が変更され、配置順序変更後の表示対象領域ＴＲがタッチスクリーン６２に表示される。したがって、ユーザは、一本指長押しドラッグドロップ操作により、仮想配置領域ＡＲの横方向において複数の電子文書の配列順序を所望の順序に変更することが可能である。
【０１１８】
＜２．第２実施形態＞
上記第１実施形態においては、ユーザの手動操作のみによって、複数の電子文書ＤＡ，ＤＢ，ＤＣのページ画像群ＧＡ，ＧＢ，ＧＣの相互間の縦方向における相対位置関係が決定（変更）されているが、これに限定されない。たとえば、携帯端末６０が複数の電子文書の各ページ相互間の関連性情報を（自動的に）生成し、当該関連性情報に基づいて複数の電子文書の各ページ画像群ＧＡ，ＧＢ，ＧＣの配置（特に縦方向における相対的位置関係）が決定されるようにしてもよい。より詳細には、電子文書の特定ページに注目する注目操作（後述）に応じて、複数の電子文書の各ページ画像群ＧＡ，ＧＢ，ＧＣの縦方向における相対的位置関係が変更されるようにしてもよい。この第２実施形態においては、このような態様について説明する。以下では、第１実施形態との相違点を中心に説明する。
【０１１９】
図３９は、第２実施形態に係る電子文書閲覧システム１（１Ｂ）の携帯端末６０（６０Ｂとも称する）の構成を示す図である。図３９に示すように、携帯端末６０Ｂのコントローラ６９（６９Ｂ）は、複数の電子文書の各ページ相互間の関連性情報を（自動的に）生成する生成部７８をさらに備えている。
【０１２０】
第１実施形態と同様に、電子文書閲覧アプリケーションＡＰ１が起動された後、閲覧対象の複数（たとえば３つ）の電子文書ＤＡ，ＤＢ，ＤＣをオープンする指示が所定の画面を用いてユーザにより順次に付与されると、第１実施形態と同様の動作が実行される。これにより、図５と同様に、複数の電子文書ＤＡ，ＤＢ，ＤＣが仮想配置領域ＡＲに配置されるとともに、その表示対象領域ＴＲがタッチスクリーン６２に表示される。
【０１２１】
さらに、生成部７８は、複数の電子文書の各ページに含まれるキーワード情報を抽出し、当該キーワード情報に基づいて複数の電子文書の各ページ相互間の関連性情報を生成する。
【０１２２】
具体的には、一の電子文書ＤＡの各ページに含まれるキーワードに関して、他の電子文書ＤＢ，ＤＣのそれぞれにおける複数のページのうち、最も高いキーワード一致率を有するページが、当該各ページに対する関連ページとしてそれぞれ設定される。また、ここでは、一の電子文書の特定ページに対する関連ページは、他の電子文書ごとに設定される。
【０１２３】
たとえば、「（歴史）教科書」である電子文書ＤＡと「資料集」である他の２つの電子文書ＤＢ，ＤＣとに関して、電子文書ＤＡの特定ページ（たとえば第２ページ）に含まれる固有名詞キーワード「桶狭間の合戦」が、電子文書ＤＢの第３ページと電子文書ＤＣの第３ページとにも含まれているとする。このときには、電子文書ＤＡの第２ページに対して、電子文書ＤＢにおいては第３ページが関連し、電子文書ＤＣにおいては第２ページが関連している旨を示す関連性情報が設定される。すなわち、電子文書ＤＡの第２ページに対しては、電子文書ＤＢの第３ページと電子文書ＤＣの第２ページとがそれぞれ関連ページとして設定される。なお、或る電子文書の特定のページに対して、他の特定の電子文書の複数のページに関連性が認められる場合には、そのうち最も高いキーワード一致率を有するページが、当該特定ページに対する関連ページとして設定されればよい。
【０１２４】
また、電子文書ＤＡのその他のページ、および他の電子文書ＤＢ，ＤＣの複数のページのそれぞれについても、同様にして各ページごとに関連ページが設定される。
【０１２５】
このようにして、複数の電子文書の各ページ相互間の関連性情報が生成される。
【０１２６】
その後、注目操作（次述）に応じて、関連性情報に基づきページ画像配置が変更（決定）されて、タッチスクリーン６２の表示内容が更新される。
【０１２７】
たとえば、ユーザによるピンチアウト操作（拡大操作）によって、図５の状態から図３５の状態を経て図３６の状態に至る状態遷移が行われる。具体的には、表示対象領域ＴＲ内に一のページ画像ＰＡ２のみが存在する状態（すなわち、タッチスクリーン６２に一のページ画像ＰＡ２のみが表示される状態）に至るまでの拡大操作が行われる。このような操作は、電子文書ＤＡの第２ページのページ画像ＰＡ２に注目する操作（注目操作）であるとも表現される。
【０１２８】
そして、このような注目操作が行われた後、今度は他の電子文書のページも表示される状態に至るまでピンチイン操作（縮小操作）が行われる（図３７および図３８参照）と、次のような配列変更動作が実行される。
【０１２９】
具体的には、まず、ページ画像配置部７６は、注目操作での注目対象ページ（ここでは電子文書ＤＡの第２ページ（ページ画像ＰＡ２））を、表示対象領域ＴＲ内に表示される複数のページのうちの代表ページとして決定する。そして、ページ画像配置部７６は、当該代表ページ（ＰＡ２）の所属する電子文書（注目電子文書とも称する）ＤＡと、当該電子文書ＤＡに隣接する電子文書（隣接電子文書とも称する）ＤＢとを特定する。さらに、ページ画像配置部７６は、当該隣接電子文書ＤＢの複数のページのうち、当該代表ページ（ＰＡ２）に関連する関連ページ（ＰＢ３）を、代表ページに隣接させるように配置変更を実行する（図３７参照）。具体的には、ページ画像配置部７６は、電子文書ＤＢのページ画像群ＧＢを上方向に移動（縦方向において電子文書ＤＡのページ画像群ＧＡに対して相対的に移動）し、ページ画像ＰＡ２の右横にページ画像ＰＢ３を隣接配置する。そして、決定部７７は、新たな表示対象領域ＴＲを決定し、表示制御部７２は、相対的位置関係変更後の表示対象領域ＴＲをタッチスクリーン６２に表示する。これにより、たとえば図３７（および図３８）に示すようなページ画像配列が仮想配置領域ＡＲにおいて形成されるとともに、当該仮想配置領域ＡＲ内の表示対象領域ＴＲがタッチスクリーン６２に表示される。
【０１３０】
これによれば、ユーザは、注目操作（ここでは注目対象ページに関するピンチアウト操作）に応じて、注目対象ページに対応する関連ページを、当該注目対象ページに隣接配置する動作を容易に実現することができる。
【０１３１】
なお、ここでは、注目操作としてピンチアウト操作を例示したが、これに限定されない。たとえば、注目操作は、注目対象ページのページ画像をダブルタップする操作などであってもよい。
【０１３２】
また、この第２実施形態においては、その他のユーザ操作（第１実施形態と同様の各種のユーザ操作）に応じて第１実施形態と同様の動作が実現される。したがって、上記第１実施形態と同様の効果を得ることもできる。
【０１３３】
＜３．第３実施形態＞
上記第２実施形態においては、注目操作に応じて、注目ページに対する関連ページが自動的に隣接配置される態様が例示されているが、これに限定されない。たとえば、複数の電子文書がオープンされる際において、タッチスクリーン６２内に表示される複数のページ画像の中から代表ページ画像が自動的に決定され、当該代表ページの関連ページが当該代表ページに自動的に隣接配置されるようにしてもよい。端的に言えば、ファイルオープン時において代表ページに対してその関連ページが自動的に隣接配置されるようにしてもよい。この第３実施形態においては、このような態様について説明する。以下では、第２実施形態との相違点を中心に説明する。
【０１３４】
この第３実施形態においては、図３のようにして最初の電子文書ＤＡがオープンされた後、２つ目の電子文書ＤＢがオープンされる際において、複数の電子文書ＤＡ，ＤＢの各ページ相互間の関連性情報の生成動作が生成部７８によって実行され、さらに当該関連性情報に基づいて次のような動作が行われる。なお、電子文書ＤＡ，ＤＢの各ページのページ画像もそれぞれ生成される。
【０１３５】
具体的には、ページ画像配置部７６は、まず、ファイルオープン操作の際に表示対象範囲内に配置される複数のページの中から代表ページを決定する。詳細には、ページ画像配置部７６は、最初にオープンされている電子文書ＤＡの複数のページのうち最も大きく表示されているページを代表ページとして決定する。ここでは、表示対象領域ＴＲ内において最も大きく表示されている２つのページ（第１および第２のページ）のうち、最も上側に表示されているページ（第１ページ：ページ画像ＰＡ１）が代表ページとして決定されるものとする。
【０１３６】
そして、ページ画像配置部７６は、当該代表ページ（ＰＡ１）の所属する電子文書（代表電子文書とも称する）ＤＡと、当該電子文書ＤＡに隣接する隣接電子文書ＤＢとを特定する。
【０１３７】
また、ページ画像配置部７６は、代表ページ（ＰＡ１）の属する電子文書ＤＡに対して、隣接する電子文書ＤＢの複数のページの中から、代表ページに関連する関連ページを関連性情報に基づいて決定する。具体的には、隣接電子文書ＤＢの複数のページのうちの第２ページ（ページ画像ＰＢ２）が、当該代表ページ（ＰＡ１）に関連する関連ページとして決定される。
【０１３８】
さらに、ページ画像配置部７６は、当該隣接電子文書ＤＢの複数のページのうち、当該代表ページ（ＰＡ１）に関連する関連ページ（ＰＢ２）を、代表ページに隣接させるように配置調整を実行する。具体的には、ページ画像配置部７６は、図４と比較して電子文書ＤＢのページ画像群ＧＢを上方向に移動（縦方向において電子文書ＤＡのページ画像群ＧＡに対して相対的に移動）した状態で、ページ画像ＰＡ１の右横にページ画像ＰＢ２を隣接配置する。そして、決定部７７は、相対的位置関係調整後の表示対象領域ＴＲを決定し、表示制御部７２は、当該表示対象領域ＴＲをタッチスクリーン６２に表示する。これにより、たとえば図８と同様のページ画像配列（ただし、ページ画像群ＧＣを除く）が仮想配置領域ＡＲにおいて形成されるとともに、当該仮想配置領域ＡＲ内の表示対象領域ＴＲがタッチスクリーン６２に表示される。
【０１３９】
これによれば、ユーザは、ファイルオープン操作に応じて、当該ファイルオープン操作時に比較的大きく表示されている代表ページに対応する関連ページを、当該代表ページに自動的に隣接配置する動作を容易に実現することができる。
【０１４０】
その後、３つ目の電子文書ＤＣがオープンされる際においても同様の動作が実行される。まず、複数の電子文書ＤＡ，ＤＢ，ＤＣの各ページ相互間の関連性情報の生成動作が生成部７８によって実行される。また、当該関連性情報に基づいて、電子文書ＤＢのページ画像群ＧＢのうち最も上側のページ画像ＰＢ２に対して、電子文書ＤＣのページ画像群ＧＣの中から関連ページ画像（ＰＣ１）が抽出される。また、当該関連ページ画像ＰＣ１がページ画像ＰＢ２に隣接配置されるように、ページ画像群ＧＢとページ画像群ＧＣとの相対的位置関係が決定される。そして、相対的位置関係変更後の表示対象領域ＴＲがタッチスクリーン６２に表示される。これにより、たとえば図８と同様のページ画像配列が仮想配置領域ＡＲにおいて形成されるとともに、当該仮想配置領域ＡＲ内の表示対象領域ＴＲがタッチスクリーン６２に表示される。
【０１４１】
また、この第３実施形態においては、その他のユーザ操作（第１実施形態と同様の各種のユーザ操作）に応じて第１実施形態と同様の動作が実現される。したがって、上記第１実施形態と同様の効果を得ることもできる。
【０１４２】
＜４．変形例等＞
以上、この発明の実施の形態について説明したが、この発明は上記説明した内容のものに限定されるものではない。
【０１４３】
たとえば、上記実施形態においては、電子文書閲覧システムが単独の装置（携帯端末６０（電子文書閲覧装置））で構成される態様が例示されているが、これに限定されず、電子文書閲覧システムは複数の装置で構成されるようにしてもよい。具体的には、携帯端末６０内に設けられていた複数の構成要素のうちのいくつか（たとえばページ画像生成部７５およびページ画像配置部７６等）は、携帯端末６０（電子文書閲覧装置）とは別個の他の装置に設けられるようにしてもよい。当該他の装置としては、携帯端末６０にネットワーク接続された各種装置（外部サーバコンピュータ、あるいは画像形成装置（ＭＦＰ（マルチ・ファンクション・ペリフェラル（Multi-Functional Peripheral）（いわゆる複合機）））等）が例示される。
【０１４４】
この場合には、たとえば、表示対象領域ＴＲを示す表示用画像が当該他の装置（ＭＦＰ等）にて生成され、携帯端末６０（電子文書閲覧装置）は、当該他の装置から受信した当該表示用画像に基づいて、表示対象領域ＴＲをタッチスクリーン６２に表示すればよい。
【０１４５】
また、上記実施形態においては、携帯端末６０は携帯端末６０の内部に格納された複数の電子文書を表示しているが、これに限定されない。たとえば、携帯端末６０は、ＭＦＰなどの他の装置に格納された複数の電子文書を表示するようにしてもよい。
【０１４６】
また、上述の各種の動作は上述の各ジェスチャ操作とは別のジェスチャ操作に応じて実行されるようにしてもよい。たとえば、左右方向の二本指フリック操作に対応する動作（図１５、図１６および図１７等参照）は、左右方向における一本指フリック操作に応じて実行されるようにしてもよい。
【符号の説明】
【０１４７】
１  電子文書閲覧システム
６０  携帯端末
６２  タッチスクリーン
７０  操作パネル部
ＡＲ  仮想配置領域
ＤＡ、ＤＢ，ＤＣ  電子文書
ＧＡ，ＧＢ，ＧＣ  ページ画像群
ＰＡ１〜ＰＡ３，ＰＢ１〜ＰＢ３，ＰＣ１〜ＰＣ３  ページ画像
ＴＲ  表示対象領域
【図１】
2014211788.tif 000003
【図２】
2014211788.tif 000004
【図３】
2014211788.tif 000005
【図４】
2014211788.tif 000006
【図５】
2014211788.tif 000007
【図６】
2014211788.tif 000008
【図７】
2014211788.tif 000009
【図８】
2014211788.tif 000010
【図９】
2014211788.tif 000011
【図１０】
2014211788.tif 000012
【図１１】
2014211788.tif 000013
【図１２】
2014211788.tif 000014
【図１３】
2014211788.tif 000015
【図１４】
2014211788.tif 000016
【図１５】
2014211788.tif 000017
【図１６】
2014211788.tif 000018
【図１７】
2014211788.tif 000019
【図１８】
2014211788.tif 000020
【図１９】
2014211788.tif 000021
【図２０】
2014211788.tif 000022
【図２１】
2014211788.tif 000023
【図２２】
2014211788.tif 000024
【図２３】
2014211788.tif 000025
【図２４】
2014211788.tif 000026
【図２５】
2014211788.tif 000027
【図２６】
2014211788.tif 000028
【図２７】
2014211788.tif 000029
【図２８】
2014211788.tif 000030
【図２９】
2014211788.tif 000031
【図３０】
2014211788.tif 000032
【図３１】
2014211788.tif 000033
【図３２】
2014211788.tif 000034
【図３４】
2014211788.tif 000035
【図３５】
2014211788.tif 000036
【図３６】
2014211788.tif 000037
【図３７】
2014211788.tif 000038
【図３８】
2014211788.tif 000039
【図３９】
2014211788.tif 000040
【図３３】
2014211788.tif 000041